(57)【要約】【課題】シール性が良好で、広い施工スペースを必要とせずに小型化が可能な水回りの配管接続部材を提供すること。【解決手段】上流側から供給される液体を受け排水口５３から液体を排水する受け部５と、排水口５３の下流側に配置される配管６とを接続する水回りの配管接続部材１であって、配管接続部材１は、液体の流水方向に沿って配置される筒状に形成され、配管６の上端側の内周面に嵌め込まれる下流側接続部１２と、排水口５３から下方に突出する突出部５３２の周囲を囲むように取り付けられ、弾性部材で構成される上流側接続部１１と、を有し、下流側接続部１２は、少なくとも一部に弾性部材を含む、水回りの配管接続部材１である。【選択図】図２
2020084462.tif 000002
【特許請求の範囲】
【請求項１】
上流側から供給される液体を受け排水口から前記液体を排水する受け部と、前記排水口の下流側に配置される配管とを接続する水回りの配管接続部材であって、
前記配管接続部材は、前記液体の流水方向に沿って配置される筒状に形成され、
前記配管の上端側の内周面に嵌め込まれる下流側接続部と、前記排水口から下方に突出する突出部の周囲を囲むように取り付けられ、弾性部材で構成される上流側接続部と、を有し、前記下流側接続部は、少なくとも一部に弾性部材を含む、水回りの配管接続部材。
【請求項２】
前記下流側接続部の剛性は、前記上流側接続部の剛性よりも高い、請求項１に記載の水回りの配管接続部材。
【請求項３】
前記下流側接続部の外周面には、前記外周面に沿って外側に突出する外周側凸部が形成される請求項１又は２に記載の水回りの配管接続部材。
【請求項４】
前記上流側接続部の下端側と、前記下流側接続部の上端側との間の境界部は、前記上流側接続部及び前記下流側接続部よりも肉厚に形成される、請求項１〜３のいずれか１項に記載の水回りの配管接続部材。
【請求項５】
前記下流側接続部は、前記上流側接続部から連続する筒状の下流側接続部本体と、前記下流側接続部本体の内周面に沿って延びるように配置され、前記上流側接続部よりも剛性の高い筒状部材とを有する、請求項１〜４のいずれか１項に記載の水回りの配管接続部材。
【請求項６】
前記筒状部材は、フィルター部を有する請求項５に記載の水回りの配管接続部材。
【請求項７】
前記筒状部材の上端には、外側に向かって拡径するフランジ部が形成され、
前記フランジ部の外周縁から内周側に向かって切り欠かれる複数の切り欠き部が形成される請求項５又は６に記載の水回りの配管接続部材。
【請求項８】
前記下流側接続部は、前記弾性部材のみで構成されている、請求項２に記載の水回りの配管接続部材。
【請求項９】
前記上流側接続部の外周面を押圧し固定する固定部材をさらに有する、請求項１〜８のいずれか１項に記載の水回りの配管接続部材。
【請求項１０】
前記受け部は、陶器製の洗面鉢である、請求項１〜９のいずれか１項に記載の水回りの配管接続部材。
【請求項１１】
前記受け部と、前記配管と、請求項１〜１０のいずれか１項に記載の水回りの配管接続部材とを有し、
前記上流側接続部の内周面には、前記内周面に沿って内側に突出する内周側凸部が形成され、
前記排水口の前記突出部の外周面には、前記内周側凸部と係合する係合溝が形成される、水回りの配管接続構造。
【発明の詳細な説明】
【技術分野】
【０００１】
本発明は、水回りの配管接続部材に関する。
【背景技術】
【０００２】
従来、洗面器や手洗器等の水を受け、排水するボウル部等の水の受け部と、受け部の排水口に接続される配管とを接続する際に、上部の径が下部の径よりも大きな漏斗状の配管接続部材が用いられる。配管接続部材の下方側を、受け部を配置するキャビネットの底面に支持部材を用いて支持して、径の大きな上部側をキャビネットの底面等から上方に突出させ、上部側の開口内に受け部の排水口から下方に突出する突出部を嵌め込む構成が提案されている。この配管接続部材の上部側の開口と受け部の突出部との間は、パッキンによりシールされる（例えば、特許文献１参照）。
【先行技術文献】
【特許文献】
【０００３】
【特許文献１】特開２０１２−１６２８８７号公報
【発明の概要】
【発明が解決しようとする課題】
【０００４】
配管接続部材の上部側の開口と受け部の突出部との間をパッキンでシールするとともに、配管接続部材をキャビネットの底面や支持部材により支持する場合、底面や支持部材の施工誤差や受け部の突出部の変形によって、パッキンの周囲に隙間が形成され、漏水する懸念が生じる。また、配管接続部材の上部側の開口と受け部の突出部との間に介在するパッキンにより配管接続部材の上部の径は大きくなる。さらに配管接続部材の下部は筒状であり、キャビネットの底面へ延出させるのに十分な長さを有し、配管接続部材が全体として大型化する。そのため、配管接続部材では広い施工スペースの確保に加え、配管接続部材を取り付けるキャビネットの底面の加工や支持部材の施工が必要となる。
【課題を解決するための手段】
【０００５】
本発明は、上流側から供給される液体を受け排水口（例えば、後述の排水口５３）から前記液体を排水する受け部（例えば、後述の洗面鉢５）と、前記排水口の下流側に配置される配管（例えば、後述の排水管６）とを接続する水回りの配管接続部材（例えば、後述の配管接続部材１）であって、前記配管接続部材は、前記液体の流水方向に沿って配置される筒状に形成され、前記配管の上端側の内周面に嵌め込まれる下流側接続部（例えば、後述の下流側接続部１２）と、前記排水口から下方に突出する突出部の周囲を囲むように取り付けられ、弾性部材で構成される上流側接続部（例えば、後述の上流側接続部１１）と、を有し、前記下流側接続部は、少なくとも一部に弾性部材を含む、水回りの配管接続部材に関する。
【０００６】
前記下流側接続部の剛性は、前記上流側接続部の剛性よりも高いことが好ましい。
【０００７】
前記下流側接続部の外周面には、前記外周面に沿って外側に突出する外周側凸部（例えば、後述の外周側凸部１２１）が形成されることが好ましい。
【０００８】
前記上流側接続部の下端側と、前記下流側接続部の上端側との間の境界部（例えば、後述の境界部１３）は、前記上流側接続部及び前記下流側接続部よりも肉厚に形成されることが好ましい。
【０００９】
前記下流側接続部は、前記上流側接続部から連続する筒状の下流側接続部本体（例えば、後述の下流側接続部本体１２０）と、前記下流側接続部本体の内周面に沿って延びるように配置され、前記上流側接続部よりも剛性の高い筒状部材（例えば、後述の筒状部材２０）とを有することが好ましい。
【００１０】
前記筒状部材は、フィルター部（例えば、後述のフィルター部２１１）を有することが好ましい。
【００１１】
前記筒状部材の上端には、外側に向かって拡径するフランジ部（例えば、後述のフランジ部２２）が形成され、前記フランジ部の外周縁から内周側に向かって切り欠かれる複数の切り欠き部が形成されることが好ましい。
【００１２】
前記下流側接続部は、前記弾性部材のみで構成されていることが好ましい。
【００１３】
前記上流側接続部の外周面を押圧し固定する固定部材（例えば、後述の固定部材３０）をさらに有することが好ましい。
【００１４】
前記受け部は、陶器製の洗面鉢であることが好ましい。
【００１５】
前記受け部と、前記配管と、上述の水回りの配管接続部材とを有し、前記上流側接続部の内周面には、前記内周面に沿って内側に突出する内周側凸部（例えば、後述の内周側凸部１１２）が形成され、前記排水口の前記突出部の外周面には、前記内周側凸部と係合する係合溝（例えば、後述の係合溝５３３）が形成される、水回りの配管接続構造（例えば、後述の配管接続構造１００）が好ましい。
【００１６】
また、本発明は、上流側から供給される液体を受け、排水口から前記液体を排水する受け部と、前記排水口の下流側に配置される配管とを接続する水回りの配管接続部材であって、前記配管接続部材は、前記液体の流水方向に沿って配置される筒状に形成され、前記配管の上端側の内周面に嵌め込まれる下流側接続部と、前記排水口から下方に突出する突出部の周囲を囲むように取り付けられ、弾性部材で構成される上流側接続部と、を有し、前記上流側接続部の上端の内面が、上端から下方に向かうにしたがって内側へ縮径するテーパ形状に形成されている、水回りの配管接続部材に関する。
【００１７】
前記上流側接続部は、筒状の上流側接続部本体（例えば、後述の上流側接続部本体１１０）と、前記上流側接続部本体の上端から、上流側接続部本体の外径よりも大きく外側に拡径する縁部（例えば、後述の縁部１１１）とを有し、前記縁部の内面は、上端から下方に向かうにしたがって内側へ縮径するテーパ形状に形成されていることが好ましい。
【発明の効果】
【００１８】
本発明によれば、シール性が良好で、広い施工スペースを必要とせずに小型化が可能な水回りの配管接続部材を提供することができる。
【図面の簡単な説明】
【００１９】
【図１】本実施形態の水回りの配管接続構造を示す斜視図である。
【図２】本実施形態の配管接続部材の斜視図である。
【図３】本実施形態の水回りの配管接続構造の断面図である。
【図４】本実施形態の筒状部材を示し（ａ）図は上面図、（ｂ）図は側面図である。
【図５】他の実施形態の配管接続部材の断面図である。
【発明を実施するための形態】
【００２０】
以下、本発明の実施形態について図面を参照しながら詳細に説明する。図１は、本実施形態の水回りの配管接続構造１００を示す斜視図である。図１に示すように、水回りの配管接続構造１００は、受け部としての洗面鉢５と、配管としての排水管６と、配管接続部材１と、を有する。
【００２１】
洗面鉢５は、洗面台に用いられる陶器製の上部が開口した容器であり、上流側から供給される水を受け止め、貯留可能に構成される。洗面鉢５は、底面部５１と、側面部５２と、排水口５３とを有する。
底面部５１は中央部が低くなるように周囲が緩く傾斜して形成され、蛇口（図示省略）の下方に配置される。
側面部５２は、底面部５１の周縁を囲むように起立する。
排水口５３は、排水孔５３１と、突出部５３２（図３参照）を有する。排水孔５３１は底面部５１の中央部に形成される貫通孔であり、底面部５１で受けた水を外部へ排水する。突出部５３２は、排水孔５３１の外周縁が底面部５１の裏面から下方に突出する円筒状の凸部であり、後述する配管接続部材１に接続される。突出部５３２の外周面には、後述する配管接続部材１が係合する係合溝５３３が形成される（図３参照）。
【００２２】
排水管６は、洗面鉢５から排水された水を下水へ流すための管である。図１に示すように、排水管６は、蛇腹部６１と、エルボ管６２とを有し、排水口５３の下流に配置される。
【００２３】
図２は、本実施形態の配管接続部材１の斜視図である。配管接続部材１は、洗面鉢５と排水管６とを接続する水回りに用いられる部品である。配管接続部材１は、上流側接続部１１と、下流側接続部１２と、境界部１３と、固定部材３０と、を有する。
【００２４】
配管接続部材１は、径の異なる筒状の部材であり、流水方向に沿って上部側を上流、下部側を下流として配置される。なお、本明細書において流水方向とは、蛇口等の水の供給源から洗面鉢５に向かって水が流され、排水される方向を意味し、上流は流水方向の上方、下流は流水方向の下方を意味する。
【００２５】
図３は、配管接続構造１００の断面図である。図３に示すように、上流側接続部１１は、円筒形で洗面鉢５の排水口５３における突出部５３２の周囲を囲むように取り付けられ、排水管６の上端から上方に露出する環状の部分である。上流側接続部１１は、弾性部材としてのゴム（ＥＰＤＭ等）で構成され、上流側接続部１１は、上流側接続部本体１１０と、縁部１１１と、内周側凸部１１２と、内周縁１１３と、を有する。
【００２６】
上流側接続部本体１１０は、上下に同じ径で延びる円筒体である。
縁部１１１は、上流側接続部本体１１０の上端から、上流側接続部本体１１０の外径よりも大きく外側に拡径する部分である。すなわち、縁部１１１を含む上流側接続部１１の上端の内面が、上端から下方に向かうにしたがって内側へ縮径するテーパ形状に形成されている。縁部１１１は、突出部５３２の付け根で洗面鉢５の底面部５１の裏面まで嵌まり込む。
【００２７】
内周側凸部１１２は、上流側接続部本体１１０の内周面に形成され、上流側接続部本体１１０の上下方向の中間部で内周面に沿って内側に突出する。図３に示すように、排水口５３の突出部５３２の外周面には、内周側凸部１１２が係合可能な係合溝５３３が形成されており、上流側接続部１１を突出部５３２に取り付けると、内周側凸部１１２と係合溝５３３とが係合する。
【００２８】
内周縁１１３は、上流側接続部本体１１０の下端が内側に向かって屈曲し、流水方向に交差する方向に延出して形成される。内周縁１１３により、上流側接続部本体１１０の下端の内径が小さくなる。
【００２９】
下流側接続部１２は、排水管６の上端側の内周面に嵌め込まれて排水管６に接続される部分である。下流側接続部１２は、上流側接続部１１よりも小さな内径の筒状に形成される。下流側接続部１２は、下流側接続部本体１２０と、外周側凸部１２１と、下端側内周縁１２２と、筒状部材２０と、を有し、少なくとも一部がゴム製で形成される。
【００３０】
下流側接続部本体１２０は、上流側接続部１１から一体に連続して下方に延びる筒状の部分であり、上流側接続部１１と同じゴム製で形成される。
外周側凸部１２１は、下流側接続部本体１２０の外周面に形成され、外周面に沿って外側に突出する。
下端側内周縁１２２は、下流側接続部本体１２０の下端部が、内側に向かって流水方向に交差する方向に突出する部分である。すなわち、下流側接続部本体１２０の下端部で内径が小さくなっている。下端側内周縁１２２は、後述する筒状部材２０の下端部を支持する。
【００３１】
図４（ａ）は、筒状部材２０の上面図、図４（ｂ）は側面図である。図２〜図４（ｂ）に示すように、筒状部材２０は、下流側接続部本体１２０の内周面に沿って上下方向に延びるように配置される筒状の部材である。筒状部材２０は、樹脂により構成され、上流側接続部１１よりも剛性が高く形成される。
図４（ａ）及び（ｂ）に示すように、筒状部材２０は、筒状部２１と、フランジ部２２と、を有する。
【００３２】
筒状部２１は、下流側接続部本体１２０の内周にぴったりと嵌まる大きさの外径を有し、下流側接続部本体１２０の上部側から下端まで延びている。筒状部２１の下端部は、下流側接続部本体１２０の下端側内周縁１２２の上に載って支持される。筒状部２１は、内部が中空部２３となっている。筒状部２１の上部側には、中空部２３を三方に分割するフィルター部２１１が設けられている。
フィルター部２１１は、筒状部２１の延びる方向に直交する方向に延び、内周を１２０度ずつに分割する三本の棒により構成される。フィルター部２１１により、排水される水に含まれるごみを捕獲するように構成されている。
【００３３】
フランジ部２２は、筒状部２１の上端に形成され、筒状部２１から外側に向かって拡径する略環状の縁部である。フランジ部２２は、上流側接続部１１の内周縁１１３の上に載置され、上流側接続部１１の内周面に嵌まる大きさの外径を有する。フランジ部２２には、周方向に沿って略三箇所に、フランジ部２２の外周縁から内周側に向かって切り欠かれる切り欠き部２２１が形成される。
【００３４】
図３に示すように、境界部１３は、上流側接続部１１の下端部と、下流側接続部１２の上端部との間の部分で、配管接続部材１の内径が変わる段差に形成される。図３に示すように、境界部１３において、配管接続部材１の内側表面では、上流側接続部１１の下方で内周縁１１３が内側に向かって延び、内周縁１１３の最も内周側の一点で下方に屈曲することで、配管接続部材１の内径が変化している。一方、配管接続部材１の外側表面では、上流側接続部１１から下流側接続部１２への縮径はなだらかな曲面で形成されている。このため、断面視では、境界部１３の厚みが、上流側接続部１１及び下流側接続部１２の厚みよりも肉厚になっている。
【００３５】
図２に示すように、固定部材３０は、上流側接続部１１の外周に取り付けられる環状の帯体である。固定部材３０は、上流側接続部１１の外周面を押圧しながら固定し、上流側接続部１１を補強する。
【００３６】
次に、配管接続部材１の使用の方法について説明する。
まず、配管接続部材１の上流側接続部１１を、排水口５３の突出部５３２に嵌め込む。これにより、上流側接続部本体１１０の内周面から突出するように形成された内周側凸部１１２が、突出部５３２の係合溝５３３に係合するので、上流側接続部１１を正しい位置に嵌め込むことができる。また、縁部１１１が、上流側接続部本体１１０の上端から拡径して形成されているので、縁部１１１が洗面鉢５の底面部５１の裏面まで嵌まり込むことで、突出部５３２が配管接続部材１の奥まで挿入され、正しく接続されたことが目視で確認される。なお、上流側接続部１１と下流側接続部１２との間では、配管接続部材１の径が変わるため、段差が形成されている。この段差によって、排水管６を挿入する範囲が目視で理解できる。
【００３７】
上流側接続部１１を突出部５３２に嵌め込んだ後、固定部材３０を上流側接続部１１の外表面に嵌め、上流側接続部１１の外表面の周囲をさらに固定する。固定部材３０は、上流側接続部１１の縁部１１１の下端に固定部材３０の上端が位置するように取り付けることで、正しい位置に取り付けられる。
【００３８】
配管接続部材１の下流側接続部では、予め下流側接続部本体１２０の内側に筒状部材２０が嵌め込まれてセットされている。筒状部材２０のフランジ部２２は、上流側接続部１１の内周縁１１３の上に載置されている。この状態で、下流側接続部１２を、排水管６に嵌め込む。上流側接続部１１及び下流側接続部本体１２０はゴム製であるため、密着性が良好で柔らかいが、下流側接続部１２が樹脂製の筒状部材２０を内側に有することで、配管接続部材１の下流側の剛性が、上流側接続部１１の剛性よりも高くなり、下流側接続部１２がつぶれにくくなる。
【００３９】
下流側接続部１２を排水管６に嵌め込むと、図３に示すように、下流側接続部１２の外表面に形成された外周側凸部１２１と排水管６の内周面とが密着する。
【００４０】
図３に示すように、配管接続部材１を突出部５３２に取り付けると、突出部５３２の下端部の内径Ｄ１の寸法は、筒状部材２０の上端の内径（フランジ部２２の内径Ｄ２）の寸法よりも小さく、流水方向に排水口５３を流通する水の流路の径方向の寸法は、配管接続部材１内で小さくならない。すなわち、フランジ部２２の内径Ｄ２の方が突出部５３２の下端部の内径Ｄ１の寸法よりも大きいため、排水口５３から配管接続部材１を通過する水は、抵抗を受けにくく、スムーズに流れる。もし内径の寸法の関係が逆であれば、フランジ部２２の上面に水があたり、抵抗を受けることとなる。
【００４１】
排水口５３から配管接続部材１を通過する水は、大部分が筒状部材２０内を通過するが、上流側接続部１１の下方に広がった水は、筒状部材２０のフランジ部２２に形成された切り欠き部２２１から筒状部材２０内へ流れていく。
【００４２】
筒状部材２０における筒状部２１の上端には、フィルター部２１１が形成されているので、洗面鉢５から排水された水にゴミ等が混入していても、フィルター部２１１で堰き止められる。
【００４３】
本実施形態によれば、以下の効果を奏する。
本実施形態では、水回りの配管接続部材１を、上流側から供給される液体を受け排水口５３から前記液体を排水する洗面鉢５と、排水口５３の下流側に配置される排水管６とを接続させた。また、配管接続部材１を、水の流水方向に沿って配置される筒状に形成し、排水管６の上端側の内周面に嵌め込まれる下流側接続部１２と、排水口５３から下方に突出する突出部５３２の周囲を囲むように取り付けられ、弾性部材で構成される上流側接続部１１と、を含んで構成した。さらに、下流側接続部１２を、少なくとも一部に弾性部材を含むようにした。
【００４４】
上流側接続部１１をゴム等の弾性部材で構成するとともに、下流側接続部１２の少なくとも一部をゴムで形成することで、排水口５３の突出部５３２や排水管６に嵌めやすく、密着させやすくすることができ、良好なシール性が得られる。ゴム製であるため、変形が容易で、施工・給排水時に洗面鉢５が上下方向に振動しても追従することができ、抜けや漏水も防止しやすい。また、上流側接続部１１を突出部５３２の外周に取り付け、下流側接続部１２を排水管の内周面に取り付けることで洗面鉢５と排水管６が接続されるので、配管接続部材１を小型化することができる。また、洗面鉢５を設置するキャビネットの底面等の複雑な加工や、支持部材の取付け作業をしなくてもよいので、施工性が向上する。さらに、下流側接続部１２を排水管６の上端側の内周面に嵌め込むことで、流水方向に沿って下流側接続部１２から排水管６へ内径が拡がることになり、排水口５３から配管接続部材１を通過する水は抵抗を受けにくく、スムーズに流れる。
【００４５】
本実施形態では、下流側接続部１２の剛性を、上流側接続部１１よりも高くした。下流側接続部１２の剛性を、上流側接続部１１よりも高くすることで、下流側はつぶれにくく排水管６への接続が容易で施工性が向上するとともに、排水管６との間に変形により隙間が生じることも防止することができる。
【００４６】
本実施形態では、下流側接続部１２の外周面に、外周面に沿って外側に突出する外周側凸部１２１を形成した。下流側接続部１２の外表面に形成された外周側凸部１２１と排水管６の内周面とが密着するので、排水管６と下流側接続部１２との間から漏水することが防止される。
【００４７】
本実施形態では、上流側接続部１１の下端側と、下流側接続部１２の上端側との間の境界部１３を、上流側接続部１１及び下流側接続部１２よりも肉厚に形成した。
境界部１３を上流側接続部１１及び下流側接続部１２よりも肉厚に形成することで、境界部１３に、上下に径の異なる配管接続部材１を取り付ける際にかかる負荷や、内部を流通する水によりかかる負荷、上下方向の振動等に耐えることができ、境界部１３の破断を防止することができる。
【００４８】
本実施形態では、下流側接続部１２を、上流側接続部１１から連続する筒状の下流側接続部本体１２０と、下流側接続部本体１２０の内周面に沿って延びるように配置され、上流側接続部１１よりも剛性の高い筒状部材２０と、を含んで構成した。
下流側接続部本体１２０の内側に上流側接続部１１よりも剛性の高い筒状部材２０を配置することで、配管接続部材１の下流側の剛性が高まる。これにより、下流側接続部１２がつぶれることが防止される。また、下流側接続部１２の過剰な変形が防止され、排水管６との接続が容易になって、施工性が向上する。
【００４９】
本実施形態では、筒状部材２０を、フィルター部２１１を含んで構成した。フィルター部２１１を設けることで、筒状部材２０の中空部を水が流通する際、排水に混入したゴミ等を堰き止め、排水管６へ流れることを防止することができる。
【００５０】
本実施形態では、筒状部材２０の上端に、外側に向かって拡径するフランジ部２２を形成し、フランジ部２２の外周縁から内周側に向かって切り欠かれる複数の切り欠き部２２１を形成した。これにより、筒状部材２０の中空部を通過しなかった水が、切り欠き部２２１から下流側接続部１２を経て排水管６に流通することができるので、配管接続部材１内に水が滞留することを防ぐとともに、清掃性も向上する。
本実施形態では、上流側接続部１１の外周面を押圧し固定する固定部材３０をさらに含んで構成した。固定部材３０により、上流側接続部１１に対する突出部５３２の嵌合をより強固にし、上流側接続部１１が突出部５３２から抜けることを防止することができる。
【００５１】
本実施形態では、受け部を、陶器製の洗面鉢とした。配管接続部材１を、水回りの受け部に広く用いられている洗面鉢５に適用することができる。
【００５２】
本実施形態では、水回りの配管接続構造１００を、洗面鉢５、排水管６と、配管接続部材１とを含んで構成し、上流側接続部１１の内周面に沿って内側に突出する内周側凸部１１２を形成し、排水口５３の突出部５３２の外周面に、内周側凸部１１２と係合する係合溝５３３を形成した。内周側凸部１１２と係合溝５３３とが係合することで、上流側接続部１１が確実に突出部５３２に接続される。
【００５３】
以上、本発明の好ましい実施形態について説明したが、本発明は、上述の実施形態に制限されるものではなく、適宜変更が可能である。
図５は、他の実施形態に係る配管接続部材１Ａの断面図である。
配管接続部材１Ａは、上流側接続部の上端の内面が上端から下方に向かうにしたがって内側へ縮径するテーパ形状に形成されている。
配管接続部材１Ａでは、上流側接続部１１における上流側接続部本体１１０の上端に、上流側接続部本体１１０の外側へ拡径する縁部１１１は形成されていない。しかし、上流側接続部１１の上端の内面が、断面視で外側から内側へ向かって傾斜した傾斜部１１１Ａが形成されている。傾斜部１１１Ａによっても、上流側接続部１１の上端の内面が上端から下方に向かうにしたがって内側へ縮径するテーパ形状に形成されていれば、傾斜部１１１Ａが洗面鉢５の底面部５１の裏面まで嵌り込むので、配管接続部材１と洗面鉢５とが密着し、施工性が向上する。
【００５４】
また、上記の実施形態では、下流側接続部１２を、ゴム製の下流側接続部本体１２０と、下流側接続部本体１２０と別体の筒状部材２０とにより構成したが、これに限られない。下流側接続部は、上流側接続部よりも厚く、全体がゴムのみで構成されていてもよい。その際、上流側接続部と同じ部材で一体に連続していてもよく、異なる部材で形成されていてもよい。下流側接続部をゴムのみで構成することにより、製造が容易かつ部品数を低減することができる。よって、製造コストを低減することができる。
【００５５】
また、上記の実施形態では、受け部として、洗面台の洗面鉢５を例に説明したが、これに限られない。受け部は、トイレのタンク手洗いや、トイレルーム内の手洗いボウル等、吐水される水を受けて排水する容器と排水管とを接続するものであれば、特に限定されない。
【００５６】
また、上記の実施形態では、筒状部材２０のフィルター部２１１を、中空部２３の上部側を三方に分割する三俣のバーにより形成したが、これに限られない。フィルター部２１１は、中空部２３を二つに分割又は三つ以上に分割するものでもよく、網状の部材を取り付けたものであってもよい。
【００５７】
なお、液体として、上記の説明では単に水と記載しているが、お湯や液体洗剤等を含んでもよく、特に限定されない。
【００５８】
また、上記の実施形態では、上流側接続部１１の上流側接続部本体１１０は、同一径で延びる円筒体であるが、これに限られない。上流側接続部本体自体が上端側から下端側に向かって緩やかに縮径していてもよい。このように縮径することで、上流側接続部１１を排水口５３の突出部５３２に取り付ける際に、上流側接続部本体の下方へ嵌め込むにしたがって嵌合がきつくなり、シール性を向上させることができる。
【００５９】
また、上記の実施形態では、突出部５３２は上流側接続部１１と下流側接続部１２との間の段差まで届いていないが、段差の位置を突出部が当たる位置に配置してもよい。突出部を段差に当てることで、突出部を配管接続部材の上流側接続部に挿入する範囲がわかるように構成してもよい。
【００６０】
また、上記の実施形態では、弾性部材として、ゴムを例に説明しているが、これに限られない。突出部５３２や排水管６に密着可能で柔軟に変形できる素材であれば、他の材料であってもよい。
【符号の説明】
【００６１】
１      配管接続部材
５      洗面鉢（受け部）
６      排水管（配管）
１１    上流側接続部
１２    下流側接続部
１３    境界部
２０    筒状部材
２２    フランジ部
３０    固定部材
１００  配管接続構造
２１１  フィルター部
２２１  切り欠き部
５３    排水口
１１２  内周側凸部
１２０  下流側接続部本体
１２１  外周側凸部
５３２  突出部
５３３  係合溝
【図１】
2020084462.tif 000003
【図２】
2020084462.tif 000004
【図３】
2020084462.tif 000005
【図４】
2020084462.tif 000006
【図５】
2020084462.tif 000007